(57)【要約】【課題】用紙束にハウジングの押さえ跡が付くのを防ぎ、かつ、印刷品質を保つようにする。【解決手段】用紙束２００に対しコの字状に形成された針１１１を押し込んでこれを綴じるステープラであって、針１１１を押し込むプッシャ１２０と、これを動作真可能なように保持するハウジング１３０と、を有し、かつ、このハウジング１３０の用紙束側の面で、針突出部およびその間を除いた箇所に、用紙束２００の上面に当接するクッション部材１４０を設けた構造となっている。【選択図】図１
2007196325.tif 000002
【特許請求の範囲】
【請求項１】
用紙束に対しコの字状に形成された針を押し込んで
前記用紙束を綴じるステープラであって、
コの字状の針を前記用紙束に押し込むプッシャと、
このプッシャを、針押し込み動作が可能なように保持するハウジングと、
を有し、このハウジングの前記用紙束側の面で、針突出部分およびその間を除いた箇所に、前記用紙束の上面に当接するクッション部材を設けた
ことを特徴とするステープラ。
【請求項２】
前記クッション部材は、
前記プッシャに対し、その幅方向の両側に配置されていることを特徴とする請求項１記載のステープラ。
【請求項３】
前記クッション部材は、その用紙束の上面と当接する面が、
プッシャによって打ち出されたときの前記針の内側の、用紙束上面との接触面と同一平面になるよう配置された
ことを特徴とする請求項１または請求項２記載のステープラ。
【発明の詳細な説明】
【技術分野】
【０００１】
本発明はステープラに関し、特にコの字状の針を用紙束に押し込んでこの用紙束を綴じるステープラに属する。
【背景技術】
【０００２】
複数枚の用紙が積層された用紙束に、コの字状に形成された針を打ち込んでこの用紙束を綴じるステープラは、通常、コの字状の針を、用紙束に向かって押し込むプッシャと、このプッシャや針及び針ホルダ等を保持するハウジングが必要であり、また、針をコの字状に形成する針形状形成部材を備えている場合もある。
このような背景技術における一例について、図２（ａ）〜（ｄ）を参照しながら、針のコの字状形成から始まって用紙束を綴じ上げるまでの手順を含めて説明する。
【０００３】
まず、図２（ａ）では、このステープラ１００Ａの、針形状形成前の全体的な配置を示している。すなわち、このステープラ１００Ａは、線状の針１１１に対し、この針１１１をコの字状に形成するための針形状形成部材１５０と、コの字状に形成された針１１１を用紙束２００に対し押し込むためのプッシャ１２０と、針１１１に複数本配列した針カートリッジや、プッシャ１２０及び針形状形成部材１５０等を、コの字状に形成された針が用紙束２００に対し押し込めるように保持するハウジング１３０を備えている。
【０００４】
そして、図２（ｂ）に示すように、針形状形成部材１５０によって１本の針１１１をコの字状に形成し、図２（ｃ）に示すように、コの字状に形成された針１１１をプッシャ１２０で用紙束２００に押し込む。そして図２（ｄ）に示すように、針１１１を用紙束２００の裏側で折り曲げて、この用紙束２００を綴じ上げるようになっている。
【０００５】
なお、これらの工程において、ハウジング１３０は、その下面が用紙束２００の上面に当接してこれを押さえている。
このようなステープラの主要部分（ハウジングが無い状態）の構成を示す斜視図及び側面図の具体例を図３（ａ），（ｂ）に示す（例えば、特許文献１参照）。
特許文献１では、プッシャ１２０ｘはドライバプレート７、針形状形成部材１５０ｘはフォーミングプレート６となっている。
【特許文献１】特開２００５−２１２１００号公報（図４）
【発明の開示】
【発明が解決しようとする課題】
【０００６】
上述した背景技術におけるステープラ１００Ａは、用紙束２００を綴じる際に、そのハウジング１３０の下面が、用紙束２００の上面に当接してこれを押さえる構造、構成となっているので、ハウジング１３０が当接している箇所に跡がついたり、印刷に用いられたインクや液体トナーが乾ききっていないと、その部分の印刷品質が低下する、という問題点があった。
【０００７】
本発明の目的は、上記背景技術における問題点に鑑みて、用紙束に跡がつくのを防ぎ、また、その部分の印刷品質が低下しないようにしたステープラを提供することにある。
【課題を解決するための手段】
【０００８】
本発明は、上記の課題を解決するために以下の各構成を有する。
本発明のステープラは、用紙束に対しコの字状に形成された針を押し込んで前記用紙束を綴じるステープラであって、
コの字状の針を前記用紙束に押し込むプッシャと、
このプッシャを、針押し込み動作が可能なように保持するハウジングと、
を有し、このハウジングの前記用紙束側の面で、針突出部分およびその間を除いた箇所に、前記用紙束の上面に当接するクッション部材を設けたことを特徴とするステープラである。
【０００９】
また、前記クッション部材は、
前記プッシャに対し、その幅方向の両側に配置されていることを特徴とする前記ステープラである。
【００１０】
更に、前記クッション部材は、その用紙束の上面を当接する面が、
プッシャによって打ち出されたときの前記針の内側の、用紙束上面との接触面と同一平面になるよう配置されたことを特徴とする前記ステープラである。
【発明の効果】
【００１１】
本発明のステープラは、そのハウジングの、用紙束の上面に当接する部分に、クッション部材が設けられているので、このクッション部材の緩衝効果によって用紙束に跡がつくのを防ぐことができ、また、インクや液体トナーが乾ききっていない場合でも、その印刷品質が低下しないようにすることができる。
【００１２】
また、クッション部材の用紙束上面との接触面を、針の内側の用紙束上面と接する面と同一平面になるように配置しているので、針の打ち込みが深すぎて用紙束にめり込んだり、浅すぎて針が浮いてしまったりするのを防ぐことができる。
【発明を実施するための最良の形態】
【００１３】
本発明を実施するための最良の形態は、コの字状に形成された針を用紙束に押し込むプッシャと、
このプッシャを、針押し込み動作が可能なように保持するハウジングと、
を有し、このハウジングの用紙束側の面で、針突出部分およびその間を除いた箇所に、用紙束の上面に当接するクッション部材を設けた構造、構成となっており、このクッション部材は、プッシャに対し、その幅方向の両側に配置され、かつ、その用紙束の上面と当接する面が、プッシャによって打ち出されたときの針の内側の、用紙束上面との接する面と同一平面になるように配置されている。
【実施例】
【００１４】
以下、本発明の実施例を図面を参照して説明する。
図１（ａ），（ｂ）は本発明の一実施例を説明するためのステープラ全体と用紙束との関係を示す横方向から見た側面図、及びその正面側から見た部分的に破断した側面図である。
この実施例におけるステープラ１００は、用紙束２００に対し、コの字状に形成された針１１１を押し込んでこの用紙束２００を綴じるステープラ１００であって、その詳細は次のとおりである。
【００１５】
針１１１は、コの字状に形成される前に、複数本が連なって針カートリッジ１１０となっている。この針１１１は１本ずつ、針形状形成部材１５０ａ，１５０ｂによってコの字状に形成される。この状況は、背景技術におけるのと同様であり、図２（ｂ）に示されている。ただし、図２では、針形状形成部材は１５０として示されている。
【００１６】
コの字状に形成された針１１１は、図２（ｃ）に示されているように、プッシャ１２０により用紙束２００に向かって押し込まれる。そして図２（ｄ）に示されているように、針１１１は用紙束２００の裏面側で折られて、用紙束を綴じるようになっている。
【００１７】
このステープラ１００は、プッシャ１２０及び針形状形成部材１５０ａを、それぞれの動作が可能なように保持するハウジング１３０を有しており、このハウジング１３０には、その用紙束２００側の面に、プッシャ１２０や針形状形成部材１５０ａの各動作が可能なように（即ち、針突出部分およびその間を除いた箇所に）、その幅方向の両側に、用紙束２００の上面に当接するクッション部材１４０が設けられている。そしてこのクッション部材１４０は、その用紙束２００の上面と当接する面が、プッシャ１２０で打ち出されときの針１１１の内側の、用紙束２００上面との接触面と同一平面になるように配置され、また、そのような厚さとなっている。
このように、ハウジング１３０の用紙束２００側の面に、この用紙束２００と接触するクッション部材１４０を設けることにより、その緩衝効果によって用紙束２００に跡がつくのを防ぐことができる。
【００１８】
また、このクッション部材１４０は、その用紙束２００の上面と接触する面が、プッシャ１２０で打ち出されたときの針１１１の内側の用紙束２００上面との接触面と同一平面になっているので、針１１１の打ち込みの際、その打ち込みが深すぎて用紙束２００にめり込んだり、浅すぎて針１１１が浮いてしまったりする、と言った不具合を無くすことができる。クッション部材１４０が薄すぎると、針１１１の内側の面がプッシャ１２０で押されすぎて打ち込みが深くなりすぎ、また、厚すぎると針１１１の内側が用紙束２００に接触しなくなって、十分な綴じができなくなる。
なお、クッション部材１４０には、人工皮革、布、ゴムなどが使われる。
【図面の簡単な説明】
【００１９】
【図１】本発明の一実施例を説明するためのステープラ全体と用紙束との関係を示す横方向から見た側面図及び正面側から見た部分的破断部分を有する側面図である。
【図２】背景技術におけるステープラと、このステープラと用紙束との関係を動作順に示した前面側から見た側面図である。
【図３】背景技術におけるステープラの他の例を説明するための主要部分の斜視図及びその側面図である。
【符号の説明】
【００２０】
１００，１００Ａ  ステープラ
１１０  針カートリッジ
１１１  針
１２０，１２０ｘ  プッシャ
１３０  ハウジング
１４０  クッション部材
１５０，１５０ａ，１５０ｂ，１５０ｘ  針形状形成部材
２００  用紙束
【図１】
2007196325.tif 000003
【図２】
2007196325.tif 000004
【図３】
2007196325.tif 000005